Podtech/llm-jp-corpus-v4-ja_patent huggingface dataset:
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域に、遊技球の入球により賞球を付与する入賞口と、賞球を付与しないアウト口とが設けられた遊技機において、
前記入賞口への入球に基づいて所定数の賞球を払い出す払出手段と、
前記入賞口に入球した遊技球と前記アウト口に入球した遊技球を計数して、遊技に使用した遊技球の数を算出する使用済球計数手段と、
前記使用済球計数手段の計数結果と、賞球数とを用いて所定の演算を行う演算手段と、
前記演算手段による演算結果に関連する特別情報を、当該遊技機の裏面側に設けた裏面表示部に表示して外部に通知する外部通知手段と、
遊技の進行が不能とされ、前記演算手段による演算が行われない特殊状態を発生させる特殊状態発生手段と、
を備え、
前記特殊状態は、所定の開始条件が成立することで開始し、所定の終了条件が成立することで終了するものであり、
前記開始条件は、管理者による第１の操作が行われることであり、
前記終了条件は、管理者による第２の操作が行われることであり、
前記第１の操作と前記第２の操作の操作対象としては、当該遊技機の裏面側に設けた複数の操作部のうちの特殊状態用操作部が用いられており、
前記第１の操作が行われてから前記第２の操作が行われ、さらに所定期間が経過するまでの間は、前記裏面表示部にて前記特別情報が非表示とされ、前記第２の操作が行われて前記特殊状態が終了してから前記所定期間が経過することで前記裏面表示部にて前記特別情報が表示されるものであり、
前記特別情報が非表示とされる間は、前記裏面表示部にて前記演算手段による演算結果に関連しない所定の表示が行われ、
さらに、遊技に関する演出を表示する演出表示部を備え、
前記裏面表示部にて前記所定の表示が行われるときには、前記特殊状態中であることに対応する所定の画像が前記演出表示部に表示され、
さらに、複数の端子を有する外部端子板を備え、
所定の不正が検知された際には、前記外部端子板の特定の端子から外部信号を出力可能であり、
所定の不正が検知されたときだけでなく前記特殊状態中にも前記特定の端子から外部信号を出力可能である
ことを特徴とする遊技機。
【手続補正２】
【補正対象書類名】明細書
【補正対象項目名】０００２
【補正方法】変更
【補正の内容】
【０００２】
従来、始動口に遊技球が入賞したことに基づいて抽選を行うと共に表示装置に図柄を変動表示するようにし、抽選結果が大当りとなった場合には、表示装置に大当り図柄を停止表示して大入賞口を開閉させる遊技機が知られている。この種の遊技機では、始動口や大入賞口等に入球した遊技球を検出し、その検出結果に基づいて所定の情報を外部に出力するものが提案されている（例えば、特許文献１参照）。
【手続補正３】
【補正対象書類名】明細書
【補正対象項目名】０００３
【補正方法】変更
【補正の内容】
【０００３】
【特許文献１】特開２０１４−８３２９０号公報
【手続補正４】
【補正対象書類名】明細書
【補正対象項目名】０００４
【補正方法】変更
【補正の内容】
【０００４】
上記した遊技機では、本来の遊技とは異なる不正な行為が行われると、外部に出力する情報の信憑性が無くなり、遊技機の信頼性が低下するおそれがある。
【手続補正５】
【補正対象書類名】明細書
【補正対象項目名】０００５
【補正方法】変更
【補正の内容】
【０００５】
本発明は、上記した事情に鑑みなされたもので、その目的とするところは、遊技機の信頼性の低下を抑止することが可能な遊技機を提供することにある。
【手続補正６】
【補正対象書類名】明細書
【補正対象項目名】０００６
【補正方法】変更
【補正の内容】
【０００６】
上記した目的を達成するために、請求項１に係る発明においては、
遊技球が流下可能な遊技領域が形成された遊技盤を備え、前記遊技領域に、遊技球の入球により賞球を付与する入賞口と、賞球を付与しないアウト口とが設けられた遊技機において、
前記入賞口への入球に基づいて所定数の賞球を払い出す払出手段と、
前記入賞口に入球した遊技球と前記アウト口に入球した遊技球を計数して、遊技に使用した遊技球の数を算出する使用済球計数手段と、
前記使用済球計数手段の計数結果と、賞球数とを用いて所定の演算を行う演算手段と、
前記演算手段による演算結果に関連する特別情報を、当該遊技機の裏面側に設けた裏面表示部に表示して外部に通知する外部通知手段と、
遊技の進行が不能とされ、前記演算手段による演算が行われない特殊状態を発生させる特殊状態発生手段と、
を備え、
前記特殊状態は、所定の開始条件が成立することで開始し、所定の終了条件が成立することで終了するものであり、
前記開始条件は、管理者による第１の操作が行われることであり、
前記終了条件は、管理者による第２の操作が行われることであり、
前記第１の操作と前記第２の操作の操作対象としては、当該遊技機の裏面側に設けた複数の操作部のうちの特殊状態用操作部が用いられており、
前記第１の操作が行われてから前記第２の操作が行われ、さらに所定期間が経過するまでの間は、前記裏面表示部にて前記特別情報が非表示とされ、前記第２の操作が行われて前記特殊状態が終了してから前記所定期間が経過することで前記裏面表示部にて前記特別情報が表示されるものであり、
前記特別情報が非表示とされる間は、前記裏面表示部にて前記演算手段による演算結果に関連しない所定の表示が行われ、
さらに、遊技に関する演出を表示する演出表示部を備え、
前記裏面表示部にて前記所定の表示が行われるときには、前記特殊状態中であることに対応する所定の画像が前記演出表示部に表示され、
さらに、複数の端子を有する外部端子板を備え、
所定の不正が検知された際には、前記外部端子板の特定の端子から外部信号を出力可能であり、
所定の不正が検知されたときだけでなく前記特殊状態中にも前記特定の端子から外部信号を出力可能である
ことを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
このように、本発明によれば、遊技機の信頼性の低下を抑止することが可能な遊技機を提供することができる。
【手続補正書】
【提出日】令和3年7月26日(2021.7.26)
【手続補正１】
【補正対象書類名】明細書
【補正対象項目名】０１５７
【補正方法】変更
【補正の内容】
【０１５７】
背ボトム７０ａの動作角度は、例えば、０度〜７０度である。膝ボトム７０ｂの動作角度は、０度以上２５度以下である。「高さ」の動作範囲は、例えば、４３ｃｍである。床高は、ベッドフレームにより異なっても良い。床高の範囲は、例えば、３０ｃｍ〜７３ｃｍ、３２．５ｃｍ〜７５．５ｃｍ、または、３５ｃｍ〜７８ｃｍである。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
ＩＰＰ（Ｉｎｔｅｒｎｅｔ  Ｐｒｉｎｔｉｎｇ  Ｐｒｏｔｏｃｏｌ）を用いて印刷サービスから印刷データを受信して印刷を実行することが可能な印刷装置であって、
前記印刷サービスにおいて保持された印刷ジョブの一覧を表示する表示手段と、
前記表示手段により表示された一覧から選択された印刷ジョブの印刷指示をユーザから受け付ける受付手段と、
前記印刷指示がなされた印刷ジョブに対応する印刷データの送信を前記印刷サービスに要求し、前記印刷サービスから当該印刷データを受信する通信制御手段と、
前記通信制御手段によって受信した印刷データに基づく印刷を行う印刷制御手段と、を有し、
前記受付手段により前記一覧から選択された印刷ジョブのキャンセル指示をユーザから受け付けたことに従って、前記通信制御手段は、選択された印刷ジョブに対応する印刷データの送信を前記印刷サービスに要求し、
前記印刷装置は、前記印刷サービスから受信した、前記キャンセル指示の対象として選択された印刷ジョブに対応する印刷データに基づく印刷を実行することなく破棄することを特徴とする印刷装置。
【請求項２】
前記通信制御手段は、前記印刷サービスにおいて保持された印刷ジョブの処理状況を通知することが可能であり、
前記通信制御手段は、前記印刷サービスから受信した前記キャンセル指示の対象として選択された印刷ジョブに対応する前記印刷データを破棄したことに従って、前記印刷ジョブがキャンセルされたことを前記印刷サービスに通知することを特徴とする請求項１記載の印刷装置。
【請求項３】
前記通信制御手段は、前記受付手段により前記一覧から選択された印刷ジョブのキャンセル指示を受け付けたことに従って、前記印刷ジョブを処理中であることを前記印刷サービスに通知することを特徴とする請求項２記載の印刷装置。
【請求項４】
前記印刷制御手段により印刷が行われた時刻を含むジョブ履歴を記憶する記憶手段を有し、
前記印刷サービスから受信した印刷データを破棄した場合、ジョブ履歴への記憶は行わないことを特徴とする請求項１から３のいずれか１項に記載の印刷装置。
【請求項５】
前記通信制御手段は、前記印刷装置にログインしたユーザの印刷ジョブの一覧を前記印刷サービスへ要求し、
前記表示手段は、前記要求に対する前記印刷サービスからの応答に基づいて、前記ユーザの印刷ジョブの一覧を表示することを特徴とする請求項１から４のいずれか１項に記載の印刷装置。
【請求項６】
前記印刷サービスは、クライアント端末から送信された印刷データを含む印刷ジョブを保持することが可能であり、
前記表示手段は、前記印刷サービスから受信した情報に基づき、印刷ジョブの一覧を表示することを特徴とする請求項１乃至４のいずれか１項に記載の印刷装置。
【請求項７】
ＩＰＰ（Ｉｎｔｅｒｎｅｔ  Ｐｒｉｎｔｉｎｇ  Ｐｒｏｔｏｃｏｌ）を用いて印刷サービスから印刷データを受信して印刷を実行することが可能な印刷装置の制御方法であって、
前記印刷サービスにおいて保持された印刷ジョブの一覧を表示する表示制御工程と、
前記表示制御工程によって表示された一覧から選択された印刷ジョブの印刷指示をユーザから受け付ける受付工程と、
前記印刷指示がなされた印刷ジョブに対応する印刷データの送信を前記印刷サービスに要求し、前記印刷サービスから当該印刷データを受信する通信制御工程と、
前記通信制御工程において受信した印刷データに基づく印刷を行うジョブ処理工程と、を有し、
前記一覧から選択された印刷ジョブのキャンセル指示をユーザから受け付けたことに従って、選択された印刷ジョブに対応する印刷データの送信を前記印刷サービスに要求し、前記印刷サービスから受信した、前記キャンセル指示の対象として選択された印刷ジョブに対応する印刷データを印刷することなく破棄するキャンセル工程と、
を有することを特徴とする制御方法。
【請求項８】
コンピュータを、請求項１から６のいずれか１項に記載の印刷装置として動作させるためのプログラム。
【手続補正２】
【補正対象書類名】明細書
【補正対象項目名】００１３
【補正方法】変更
【補正の内容】
【００１３】
ＩＰＰ（Ｉｎｔｅｒｎｅｔ  Ｐｒｉｎｔｉｎｇ  Ｐｒｏｔｏｃｏｌ）を用いて印刷サービスから印刷データを受信して印刷を実行することが可能な印刷装置であって、前記印刷サービスにおいて保持された印刷ジョブの一覧を表示する表示手段と、前記表示手段により表示された一覧から選択された印刷ジョブの印刷指示をユーザから受け付ける受付手段と、前記印刷指示がなされた印刷ジョブに対応する印刷データの送信を前記印刷サービスに要求し、前記印刷サービスから当該印刷データを受信する通信制御手段と、前記通信制御手段によって受信した印刷データに基づく印刷を行う印刷制御手段と、を有し、前記受付手段により前記一覧から選択された印刷ジョブのキャンセル指示をユーザから受け付けたことに従って、前記通信制御手段は、選択された印刷ジョブに対応する印刷データの送信を前記印刷サービスに要求し、前記印刷装置は、前記印刷サービスから受信した、前記キャンセル指示の対象として選択された印刷ジョブに対応する印刷データに基づく印刷を実行することなく破棄することを特徴とする。
【手続補正書】
【提出日】令和3年6月28日(2021.6.28)
【手続補正１】
【補正対象書類名】特許請求の範囲
【補正対象項目名】全文
【補正方法】変更
【補正の内容】
【特許請求の範囲】
【請求項１】
記録媒体上にインクを吐出するインク吐出口が開口するインク吐出面を有する記録ヘッドを清浄化するワイプユニットであって、
ワイピング方向に移動しながら、前記インク吐出面のインクを拭き取るワイピング部と、
前記ワイピング部の下方に配置され、前記ワイピング部により拭き取られた前記インクを回収するトレイ面を有する回収トレイと、
を備え、
前記ワイピング部の下部は、前記ワイピング部により拭き取られた前記インクを前記トレイ面に落下させるインク落下部となっており、
前記インク落下部は、下方に向かって幅の大きさが小さくなっていることを特徴とするワイプユニット。
【請求項２】
前記トレイ面は、前記ワイピング方向に沿って傾斜しており、
前記トレイ面には、前記ワイピング方向に沿って延びるとともに、断面視谷形状である溝が設けられていることを特徴とする請求項１に記載のワイプユニット。
【請求項３】
前記溝の最深部は、前記インク落下部の最下端に対向配置されていることを特徴とする請求項２に記載のワイプユニット。
【請求項４】
前記ワイピング部は、複数設けられており、
前記溝は、複数設けられており、
前記ワイピング方向から見て、前記溝のピッチは、前記ワイピング部のピッチと等しいことを特徴とする請求項３に記載のワイプユニット。
【請求項５】
前記インク落下部は、前記ワイピング部において前記インク吐出面に当たる部分であるワイパーに対して前記ワイピング方向の下流側に配置されていることを特徴とする請求項１〜４のいずれか１項に記載のワイプユニット。
【請求項６】
前記ワイピング部を支持し、前記ワイピング部を前記ワイピング方向に移動させるワイパーキャリッジをさらに備え、
前記ワイパーキャリッジは、水平方向に伸びる形状を有しており、
前記インク落下部は、前記ワイパーキャリッジに対して下方に突出していることを特徴とする請求項１〜５のいずれか１項に記載のワイプユニット。
【請求項７】
前記ワイピング部を支持し、前記ワイピング部を前記ワイピング方向に移動させるワイパーキャリッジをさらに備え、
前記ワイピング部は、前記インク吐出面に当たる部分であるワイパーと、前記ワイパーを前記ワイパーキャリッジに固定するワイパー固定部材とを有し、
前記インク落下部は、前記ワイパー固定部材に設けられていることを特徴とする請求項１〜６のいずれか１項に記載のワイプユニット。
【請求項８】
前記ワイピング部は、前記ワイパーキャリッジに固定される固定補助部材を有し、
前記ワイパーは、前記ワイパー固定部材を用いて前記固定補助部材に固定されていることを特徴とする請求項７に記載のワイプユニット。
【請求項９】
前記インク落下部は、逆三角形状に形成されていることを特徴とする請求項１〜８のいずれか１項に記載のワイプユニット。
【請求項１０】
前記インク落下部の下方に面した端縁は、前記インク落下部の幅方向に対して１０度以上３０度以下傾斜していることを特徴とする請求項１〜９のいずれか１項に記載のワイプユニット。
【請求項１１】
請求項１〜１０のいずれか１項に記載のワイプユニットと、
前記記録媒体上に前記インクを吐出する前記記録ヘッドと、
を備えることを特徴とするインクジェット記録装置。
【手続補正２】
【補正対象書類名】明細書
【補正対象項目名】０００９
【補正方法】変更
【補正の内容】
【０００９】
上記目的を達成するために、本発明の第１の局面のワイプユニットは、記録媒体上にインクを吐出するインク吐出口が開口するインク吐出面を有する記録ヘッドを清浄化する。ワイプユニットは、ワイピング方向に移動しながら、前記インク吐出面のインクを拭き取るワイピング部と、前記ワイピング部の下方に配置され、前記ワイピング部により拭き取られた前記インクを回収するトレイ面を有する回収トレイと、を備える。前記ワイピング部の下部は、前記ワイピング部により拭き取られた前記インクを前記トレイ面に落下させるインク落下部となっており、前記インク落下部は、下方に向かって幅の大きさが小さくなっている。
【手続補正３】
【補正対象書類名】明細書
【補正対象項目名】００１０
【補正方法】変更
【補正の内容】
【００１０】
本発明の第１の局面のワイプユニットによれば、インク吐出面のインクをワイピング部で拭き取ると、インクはワイピング部を伝ってインク落下部まで流れ、インク落下部からトレイ面に落下する。トレイ面に落下したインクが流れやすくなるので、その場所でインクが固まってしまうのを抑制することができる。その結果、インクを容易に収集することができる。
【手続補正書】
【提出日】令和3年6月8日(2021.6.8)
【手続補正１】
【補正対象書類名】特許請求の範囲
【補正対象項目名】請求項４
【補正方法】変更
【補正の内容】
【請求項４】
前記乾燥剤から前記コンプレッサとは反対側に出力される空気の流れを許容する下流チェックバルブと、
前記下流チェックバルブに並列な通路の途中に設けられた再生制御弁とを備え、
前記制御装置は、前記再生制御弁の開弁／閉弁を切り替えることが可能であり、
前記第１の電磁弁が駆動されているとともに、前記第２の電磁弁が前記ドレン排出弁を操作して前記分岐通路を封止させているとき、前記再生制御弁を所定の期間だけ開弁させる
請求項１〜３のいずれか一項に記載の空気供給システム。
【手続補正２】
【補正対象書類名】特許請求の範囲
【補正対象項目名】請求項７
【補正方法】変更
【補正の内容】
【請求項７】
前記制御装置は、前記第１の電磁弁が駆動されているとき、
前記第２の電磁弁が前記ドレン排出弁を操作して前記分岐通路を封止するとともに前記再生制御弁を閉弁させるパージ無し処理と、
前記第２の電磁弁が前記ドレン排出弁を操作して前記分岐通路を開放させるとともに前記再生制御弁を閉弁させるパージ処理と、
前記第２の電磁弁が前記ドレン排出弁を操作して前記分岐通路を開放させるとともに前記再生制御弁を開弁させる再生処理と、
前記第２の電磁弁が前記ドレン排出弁を操作して前記分岐通路を封止するとともに前記再生制御弁を開弁させる与圧処理とを備える
請求項４〜６のいずれか一項に記載の空気供給システム。
【手続補正３】
【補正対象書類名】特許請求の範囲
【補正対象項目名】請求項８
【補正方法】変更
【補正の内容】
【請求項８】
前記制御装置は、前記接続通路内の空気圧が所定の値に維持されるように、前記パージ
無し処理と、前記パージ処理と、前記与圧処理とのいずれか１つを選択して実行する調整工程を備える
請求項７に記載の空気供給システム。
【手続補正４】
【補正対象書類名】明細書
【補正対象項目名】００１２
【補正方法】変更
【補正の内容】
【００１２】
好ましい構成として、前記乾燥剤から前記コンプレッサとは反対側に出力される空気の流れを許容する下流チェックバルブと、前記下流チェックバルブに並列な通路の途中に設けられた再生制御弁とを備え、前記制御装置は、前記再生制御弁の開弁／閉弁を切り替えることが可能であり、前記第１の電磁弁が駆動されているとともに、前記第２の電磁弁が前記ドレン排出弁を操作して前記分岐通路を封止させているとき、前記再生制御弁を所定の期間だけ開弁させる。
【手続補正５】
【補正対象書類名】明細書
【補正対象項目名】００１７
【補正方法】変更
【補正の内容】
【００１７】
好ましい構成として、前記制御装置は、前記第１の電磁弁が駆動されているとき、前記第２の電磁弁が前記ドレン排出弁を操作して前記分岐通路を封止するとともに前記再生制御弁を閉弁させるパージ無し処理と、前記第２の電磁弁が前記ドレン排出弁を操作して前記分岐通路を開放させるとともに前記再生制御弁を閉弁させるパージ処理と、前記第２の電磁弁が前記ドレン排出弁を操作して前記分岐通路を開放させるとともに前記再生制御弁を開弁させる再生処理と、前記第２の電磁弁が前記ドレン排出弁を操作して前記分岐通路を封止するとともに前記再生制御弁を開弁させる与圧処理とを備える。
【手続補正６】
【補正対象書類名】明細書
【補正対象項目名】００１８
【補正方法】変更
【補正の内容】
【００１８】
このような構成によれば、第１の電磁弁が駆動されているとき、パージ無し処理と、パージ処理と、再生処理と、与圧処理とを適時行うことができるようになる。
好ましい構成として、前記制御装置は、前記接続通路内の空気圧や乾燥剤中の空気圧が所定の値に維持されるように、前記パージ無し処理と、前記パージ処理と、前記与圧処理とのいずれか１つを選択して実行する調整機能を備える。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
内部空間を規定するフレームと、
前記内部空間においてコイルが巻回されたボビンが前記フレームに固定されるボイスコイルと、
前記コイルの軸線方向に沿って前記内部空間に配置され、前記フレームに両端が支持される軸部材と、
前記軸部材に対して摺動可能に配置され、かつ、前記コイルがその磁気空隙に配置される磁気回路と、
前記内部空間において前記軸線方向に沿った前記磁気回路の一端側と前記フレームの一端側との間に配置される圧縮コイルバネと、を備え、
前記圧縮コイルバネは、山部および谷部を交互に等間隔に有する板状鋼線が前記軸部材の周方向に螺旋状に多重に巻回され、かつ、前記軸線方向において前記山部と前記谷部とが接触するように構成されているコイルドウェーブスプリングである、
加振器。
【請求項２】
前記磁気回路の他端側と前記フレームの他端側との間に配置される他の前記コイルドウェーブスプリングをさらに備える、
請求項１に記載の加振器。
【請求項３】
前記磁気回路は、前記コイルドウェーブスプリングの内側に配置されている、
請求項１又は２に記載の加振器。
【請求項４】
前記磁気回路は、前記軸部材に対して摺動する軸受を有する、
請求項１から３に記載の加振器。
【請求項５】
前記磁気回路は、
前記軸部材が貫通する貫通孔を有するヨークと、
前記軸部材が貫通する貫通孔を有し、前記ヨークに取り付けられるマグネットと、
前記軸部材が貫通する貫通孔を有し、前記マグネットに取り付けられ、前記ヨークとの間に前記磁気空隙を形成するプレートと、を有する、
請求項１から４に記載の加振器。
【請求項６】
前記磁気回路の前記ヨークは、前記軸線方向における前記磁気回路の最大厚み寸法Ｄ１よりも小さい厚み寸法Ｄ２を有し、かつ、前記軸線方向と直交する周方向の外側に突出するように形成されるフランジ部をさらに備え、
前記コイルドウェーブスプリングは、前記フランジ部に固定される、
請求項５に記載の加振器。
【請求項７】
前記磁気回路の前記ヨークは、前記軸線方向における前記磁気回路の最大厚み寸法Ｄ１よりも小さい厚み寸法Ｄ３を有し、かつ、前記軸線方向と直交する周方向の内側であって前記貫通孔の内側に突出するように形成されるフランジ部をさらに備え、
前記コイルドウェーブスプリングは、前記フランジ部に固定される、
請求項５に記載の加振器。
【請求項８】
前記磁気回路の前記ヨークは、外径を規定する外径側面に前記軸線方向と直交する周方向に沿って形成される溝を有し、
前記溝に嵌合する止め輪部材をさらに備え、
前記コイルドウェーブスプリングは、前記ヨークの前記溝に嵌合して固定される前記止め輪部材に固定される、
請求項５に記載の加振器。
【請求項９】
前記磁気回路の前記ヨークは、外径を規定する外径側面に前記軸線方向と直交する周方向に沿って形成される溝を有し、
前記コイルドウェーブスプリングは、内径方向へ突出するように形成された止め輪部を有し、
前記止め輪部は、前記ヨークの前記溝に嵌合して固定される、
請求項５に記載の加振器。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
眼鏡レンズを加工するための加工制御データを取得する眼鏡レンズ加工制御データ取得装置であって、
眼鏡の玉型形状情報を取得する第１形状情報取得手段と、
前記眼鏡用のデモレンズから検出されたファセット形状情報であって、前記デモレンズに施されたファセット形状情報を取得する第２形状情報取得手段と、
前記玉型形状情報及び前記ファセット形状情報に基づいて、前記眼鏡レンズのレンズ面に、少なくとも１つの平面を形成するためのファセット加工制御データを取得する加工制御データ取得手段と、
を備えることを特徴とする眼鏡レンズ加工制御データ取得装置。
【請求項２】
請求項１の眼鏡レンズ加工制御データ取得装置において、
前記眼鏡レンズの前記レンズ面におけるカーブ情報を取得する第３形状情報取得手段を備え、
前記加工制御データ取得手段は、前記玉型形状情報と、前記ファセット形状情報と、前記カーブ情報と、に基づいて、前記ファセット加工制御データを取得することを特徴とする眼鏡レンズ加工制御データ取得装置。
【請求項３】
請求項２の眼鏡レンズ加工制御データ取得装置において、
前記第２形状情報取得手段は、前記デモレンズの前面に施されたファセット形状情報を取得し、
前記第３形状情報取得手段は、前記眼鏡レンズの前面における前記カーブ情報を取得し、
前記加工制御データ取得手段は、前記眼鏡レンズの前面に、少なくとも１つの平面を形成するための前記ファセット加工制御データを取得することを特徴とする眼鏡レンズ加工制御データ取得装置。
【請求項４】
請求項１〜３のいずれかの眼鏡レンズ加工制御データ取得装置において、
前記デモレンズのレンズ面を撮像する撮像光学系を備え、
前記第２形状情報取得手段は、前記撮像光学系により撮像された前記デモレンズのレンズ像から、前記ファセット形状情報を検出することで、前記ファセット形状情報を取得することを特徴とする眼鏡レンズ加工制御データ取得装置。
【請求項５】
請求項１〜４のいずれかの眼鏡レンズ加工制御データ取得装置において、
前記眼鏡レンズに施すファセット加工の加工領域を設定する設定手段を備え、
前記加工制御データ取得手段は、設定された前記加工領域に基づく前記ファセット加工制御データを取得することを特徴とする眼鏡レンズ加工制御データ取得装置。
【請求項６】
眼鏡レンズを加工するための加工具を有する眼鏡レンズ加工装置であって、
請求項１〜５のいずれかの眼鏡レンズ加工制御データ取得装置にて取得された前記ファセット加工制御データに基づいて、前記加工具を制御し、前記眼鏡レンズにファセット加工を施すことを特徴とする眼鏡レンズ加工装置。
【請求項７】
眼鏡レンズを加工するための加工制御データを取得する眼鏡レンズ加工制御データ取得装置において用いられる眼鏡レンズ加工制御データ取得プログラムであって、前記眼鏡レンズ加工制御データ取得装置のプロセッサに実行されることで、
眼鏡の玉型形状情報を取得する第１形状情報取得ステップと、
前記眼鏡用のデモレンズから検出されたファセット形状情報であって、前記デモレンズに施されたファセット形状情報を取得する第２形状情報取得ステップと、
前記玉型形状情報及び前記ファセット形状情報に基づいて、前記眼鏡レンズのレンズ面に、少なくとも１つの平面を形成するためのファセット加工制御データを取得する加工制御データ取得ステップと、
を前記眼鏡レンズ加工制御データ取得装置に実行させることを特徴とする眼鏡レンズ加工制御データ取得プログラム。
【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
ロボットアームと、
前記ロボットアームに配置されたセンサーと、
前記ロボットアームに配置され、前記ロボットアームを駆動する駆動部と、
前記ロボットアームに接続された配管部材と、
前記配管部材内に収納され、前記センサーから出力された信号を伝搬する第１信号線と
、
前記配管部材内に収納され、前記駆動部から出力された信号を伝搬する第２信号線と、
前記配管部材の内部において前記第１信号線および前記第２信号線を一括して覆うシー
ルドと、を備えることを特徴とするロボット。
【請求項２】
前記シールドは、前記ロボットアームの内部において前記第１信号線および前記第２信
号線を一括して覆う第１延長部を有する請求項１に記載のロボット。
【請求項３】
前記第１延長部を前記ロボットアームに対して固定する第１固定部を有する請求項２に
記載のロボット。
【請求項４】
前記第１延長部の前記配管部材から遠位側の端部は、前記センサーと離間している請求
項２または３に記載のロボット。
【請求項５】
前記ロボットアームを支持し、前記配管部材の一端部が接続された基台を備え、
前記シールドは、前記基台の内部において前記第１信号線および前記第２信号線を一括
して覆う第２延長部を有する請求項１ないし４のいずれか１項に記載のロボット。
【請求項６】
前記第２延長部を前記基台に対して固定する第２固定部を有する請求項５に記載のロボ
ット。
【請求項７】
前記第２固定部は、前記ロボットアームの回動軸に対して傾斜している請求項６に記載
のロボット。
【請求項８】
前記ロボットアームは、回動可能な第１アームおよび、前記第１アームの回動軸と平行
な回動軸周りで回動可能な第２アームを有し、
前記第１アームは、前記基台に支持され、
前記配管部材は、前記第２アームと前記基台とを接続する請求項５ないし７のいずれか
１項に記載のロボット。
【請求項９】
前記センサーは、角速度センサーである請求項１ないし８のいずれか１項に記載のロボ
ット。
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
可動部と、前記可動部に加えられた力を検出する力検出部と、を備えるロボットと、
前記ロボットを制御する制御部を有する制御装置と、を有するロボットシステムの制御方法であって、
対象に対して固定されている対象座標系をユーザーから受け付けるステップと、
前記力検出部により力が検出されている間、前記力検出部により検出された力に応じて前記可動部を移動および回転させる第１制御モードで制御するステップと、を含み、
前記第１制御モードで制御するステップにおいて、前記可動部に対して固定されている移動座標系の第１軸と、前記対象座標系の第２軸と、の相対角度が角度閾値未満になった場合に、あらかじめ定められた条件の下で前記相対角度の大きさが０に近づくように前記可動部を回転させる第２制御モードで制御する、制御方法。
【請求項２】
請求項１に記載の制御方法であって、
前記移動座標系の中から前記第１軸とする軸を前記ユーザーから受け付けるステップと、
前記対象座標系の中から前記第２軸とする軸を前記ユーザーから受け付けるステップと、を含む、制御方法。
【請求項３】
請求項１または２に記載の制御方法であって、
前記角度閾値は、０より大きく４５度未満である、制御方法。
【請求項４】
請求項１から３のいずれか１項に記載の制御方法であって、
前記角度閾値を前記ユーザーから受け付けるステップを含む、制御方法。
【請求項５】
請求項１から４のいずれか１項に記載の制御方法であって、
前記条件は、前記移動座標系の原点と前記対象座標系の原点との距離が、距離閾値より大きいか否かを含む、制御方法。
【請求項６】
請求項５に記載の制御方法であって、
前記距離閾値を前記ユーザーから受け付けるステップを含む、制御方法。
【請求項７】
請求項１から６のいずれか一項に記載の制御方法であって、
前記第２制御モードを実行するか否かの指示を前記ユーザーから受け付けるステップを含み、
前記条件は、前記第２制御モードを実行する旨の指示を受け付けたか否かを含む、制御方法。
【請求項８】
請求項１から７のいずれか１項に記載の制御方法であって、
前記第２制御モードでの制御の後、前記力検出部により力が検出された場合に、前記検出された力の向きに応じて、あらかじめ定められた向きにあらかじめ定められた量だけ、前記可動部を移動または回転させる第３制御モードで制御するステップを有する、制御方法。
【請求項９】
可動部を備えるロボットと、前記ロボットを制御する制御部を有する制御装置と、を有するロボットシステムの制御方法であって、
前記ロボットの教示の際、前記可動部に対して固定されている移動座標系の第１軸と、対象に対して固定されている対象座標系の第２軸と、の相対角度が角度閾値未満になった場合に、あらかじめ定められた条件の下で前記相対角度の大きさが０に近づくように前記可動部を回転させる制御を行う、制御方法。
【請求項１０】
可動部と、前記可動部に加えられた力を検出する力検出部と、を備えるロボットと、
前記ロボットを制御する制御部と、
対象に対して固定されている対象座標系をユーザーから受け付ける受付部と、を有するロボットシステムであって、
前記制御部は、
前記力検出部により力が検出されている間、前記力検出部により検出された力に応じて前記可動部を移動および回転させる第１制御モードを含み、
前記第１制御モードによる制御において、前記可動部に対して固定されている移動座標系の第１軸と、前記対象座標系の第２軸と、の相対角度が角度閾値未満になった場合に、あらかじめ定められた条件の下で前記相対角度の大きさが０に近づくように前記可動部を回転させる第２制御モードで制御する、ロボットシステム。
【手続補正２】
【補正対象書類名】明細書
【補正対象項目名】発明の名称
【補正方法】変更
【補正の内容】
【発明の名称】ロボットシステムの制御方法およびロボットシステム
【手続補正３】
【補正対象書類名】明細書
【補正対象項目名】０００１
【補正方法】変更
【補正の内容】
【０００１】
本発明は、ロボットシステムの制御方法およびロボットシステムに関する。
【手続補正４】
【補正対象書類名】明細書
【補正対象項目名】０００５
【補正方法】変更
【補正の内容】
【０００５】
本発明の一形態によれば、可動部と、前記可動部に加えられた力を検出する力検出部と、を備えるロボットと、前記ロボットを制御する制御部を有する制御装置と、を有するロボットシステムの制御方法が提供される。この制御装置は、対象に対して固定されている対象座標系をユーザーから受け付けるステップと、前記力検出部により力が検出されている間、前記力検出部により検出された力に応じて前記可動部を移動および回転させる第１制御モードで制御するステップと、を含み、前記第１制御モードで制御するステップにおいて、前記可動部に対して固定されている移動座標系の第１軸と、前記対象座標系の第２軸と、の相対角度が角度閾値未満になった場合に、あらかじめ定められた条件の下で前記相対角度の大きさが０に近づくように前記可動部を回転させる第２制御モードで制御する。
【手続補正書】
【提出日】令和3年5月26日(2021.5.26)
【手続補正１】
【補正対象書類名】明細書
【補正対象項目名】０００８
【補正方法】変更
【補正の内容】
【０００８】
本発明に係る樹脂成形品の製造方法は、搬送機構を用いて金属部分および位置決め穴を含む成形対象物を上成形型と下成形型の間に搬送する工程と、下成形型の上面から突出部材を突出させる工程と、成形対象物の位置決め穴の位置と下成形型に設けられた位置決め部材の位置とを合わせた状態で、下成形型の上面から突出した突出部材に搬送機構から成形対象物を受け渡す工程と、突出部材で成形対象物の金属部分を支持した状態で、突出部材を下方に駆動して成形対象物を下成形型に載置する工程と、上成形型と下成形型とを型締めして成形対象物をトランスファー成形する工程と、上成形型と下成形型とを型開きする工程とを含む。
【手続補正２】
【補正対象書類名】明細書
【補正対象項目名】００５８
【補正方法】変更
【補正の内容】
【００５８】
１  成形対象物、２  金属部分、３  位置決め穴、４  ＩＣチップ、５  樹脂成形品、６樹脂材料、１０  上成形型、１１  カル、１２  凹部、２０  下成形型、２０ａ  上面、２１  キャビティ、２１ａ  底面、２２  位置決め部材、２２ａ  テーパ部、２２ｂ  ストレート部、２３  樹脂通路、３０  上成形型保持部、３１  上部ヒータプレート、３２  上部断熱板、３３  上部スペーサプレート、３４  ヒータ、４０  下成形型保持部、４１  下部ヒータプレート、４２  下部断熱板、４３  下部第３プレート、４４  ヒータ、４５  クランパヘッド、４６  クランパロッド、４７  クランパ位置決め棒、５１  下部第１プレート、５２  下部第２プレート、６０  搬送機構、６１  爪部、７０  駆動機構、７１  上楔部材、７２  第１の傾斜面、７３  下楔部材、７４  第２の傾斜面、７５  駆動部、７６  矢印、７７  弾性部材、１００，１１０  突出部材、１００ａ  鍔部、２００  上部固定盤、３００  可動盤、４００  下部固定盤、５００  支柱部、６００  プレス駆動機構、１０００  モールド機構部、２０００  インローダ、３０００  アウトローダ、Ａ  モールディングユニット、Ｂ  インローダユニット、Ｃ  アウトローダユニット。
【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
始動口への入球に基づいて始動情報を取得し、該取得した始動情報に基づいて当落判定を行い、該当落判定の結果に基づいて所定の利益を遊技者に付与する遊技機であって、
前記当落判定の結果に基づいて、所定の演出表示部にて演出図柄の変動表示を行う演出図柄表示手段と、
前記当落判定の結果が外れである場合に、前記演出図柄を変動表示して外れ結果表示で仮停止してから確定停止するまでの期間にて、次回以降の前記当落判定で当りになる可能性を遊技者に示唆する第１の停止時演出を実行する第１停止時演出実行手段と、
前記当落判定の結果が外れである場合に、前記演出図柄を変動表示して外れ結果表示で仮停止してから確定停止するまでの期間にて、該外れ結果表示から当り結果表示に変化する期待感を遊技者に与えない第２の停止時演出を実行する第２停止時演出実行手段と、を備え、
前記第１の停止時演出は、前記当落判定が未だ行われていない前記始動情報が所定の記憶領域に記憶されている場合にのみ実行可能であり、
前記第２の停止時演出は、前記当落判定が未だ行われていない前記始動情報が前記記憶領域に記憶されている場合と、前記当落判定が未だ行われていない前記始動情報が前記記憶領域に記憶されていない場合と、のいずれにおいても実行可能であり、
さらに、前記演出図柄の変動表示中の演出表示として期待度が高い所定の期待度高表示が現出された場合には、前記第１の停止時演出が実行されず、前記第２の停止時演出が実行されるようにしたものであり、
前記第１の停止時演出が実行されるときには前記第２の停止時演出が実行されることはない
ことを特徴とする遊技機。
【手続補正２】
【補正対象書類名】明細書
【補正対象項目名】０００２
【補正方法】変更
【補正の内容】
【０００２】
従来、始動口に遊技球が入賞したことに基づいて抽選を行うと共に表示装置に図柄を変動表示するようにし、抽選結果が大当りとなった場合には、表示装置に大当り図柄を停止表示して大当り遊技状態を発生させる遊技機が知られている。この種の遊技機では、ハズレ図柄を停止表示した状態にて、再び図柄を変動表示しうる再変動表示を行うか否かの停止時演出を実行するものが提案されている（例えば特許文献１）。
【手続補正３】
【補正対象書類名】明細書
【補正対象項目名】０００３
【補正方法】変更
【補正の内容】
【０００３】
【特許文献１】特開２０１７−６０７６６号公報
【手続補正４】
【補正対象書類名】明細書
【補正対象項目名】０００４
【補正方法】変更
【補正の内容】
【０００４】
しかしながら、従来と同様の演出態様では遊技興趣を低下させるおそれがある。
【手続補正５】
【補正対象書類名】明細書
【補正対象項目名】０００５
【補正方法】変更
【補正の内容】
【０００５】
そこで、本発明は、遊技者の興趣の低下を抑制することを目的とする。
【手続補正６】
【補正対象書類名】明細書
【補正対象項目名】０００６
【補正方法】変更
【補正の内容】
【０００６】
本発明は、
始動口への入球に基づいて始動情報を取得し、該取得した始動情報に基づいて当落判定を行い、該当落判定の結果に基づいて所定の利益を遊技者に付与する遊技機であって、
前記当落判定の結果に基づいて、所定の演出表示部にて演出図柄の変動表示を行う演出図柄表示手段と、
前記当落判定の結果が外れである場合に、前記演出図柄を変動表示して外れ結果表示で仮停止してから確定停止するまでの期間にて、次回以降の前記当落判定で当りになる可能性を遊技者に示唆する第１の停止時演出を実行する第１停止時演出実行手段と、
前記当落判定の結果が外れである場合に、前記演出図柄を変動表示して外れ結果表示で仮停止してから確定停止するまでの期間にて、該外れ結果表示から当り結果表示に変化する期待感を遊技者に与えない第２の停止時演出を実行する第２停止時演出実行手段と、を備え、
前記第１の停止時演出は、前記当落判定が未だ行われていない前記始動情報が所定の記憶領域に記憶されている場合にのみ実行可能であり、
前記第２の停止時演出は、前記当落判定が未だ行われていない前記始動情報が前記記憶領域に記憶されている場合と、前記当落判定が未だ行われていない前記始動情報が前記記憶領域に記憶されていない場合と、のいずれにおいても実行可能であり、
さらに、前記演出図柄の変動表示中の演出表示として期待度が高い所定の期待度高表示が現出された場合には、前記第１の停止時演出が実行されず、前記第２の停止時演出が実行されるようにしたものであり、
前記第１の停止時演出が実行されるときには前記第２の停止時演出が実行されることはない
ことを特徴とする。
【手続補正７】
【補正対象書類名】明細書
【補正対象項目名】０００８
【補正方法】変更
【補正の内容】
【０００８】
このように、本発明によれば、遊技者の興趣の低下を抑制することができる。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
プロセッサ、メモリ、入力部、および表示部を備えるコンピュータにおいて実行されるゲームプログラムであって、
前記ゲームプログラムは、前記プロセッサに、
前記複数のキャラクタのうちユーザにより操作される操作キャラクタにゲームを行わせるステップと、
前記ゲームを行わせるステップによりゲームを進行させる過程において、前記操作キャラクタに関連付けられている特定の事象を発生させることにより、当該操作キャラクタに関連付けられているエピソードであって当該発生させた特定の事象と関連性を有するエピソードを前記ユーザに閲覧可能に制御するステップとを備える、ゲームプログラム。
【請求項２】
前記特定の事象と関連性を有するエピソードは、当該特定の事象と関連する場面が盛り込まれているエピソードである、請求項１に記載のゲームプログラム。
【請求項３】
前記特定の事象は、前記ゲーム中において第１の状態とするための第１のスキルをユーザが発動させる第１の特定の事象を含み、
前記第１の特定の事象と関連性を有するエピソードは、前記第１の状態となる場面が盛り込まれているエピソードである、請求項１または請求項２に記載のゲームプログラム。
【請求項４】
前記ゲームは、複数の識別情報のうちユーザが所有する識別情報の組合せが特定の組合せとなることにより特典を付与するゲームであり、
前記特定の事象は、第１条件を満たして前記特定の組合せを成立させた特定の事象を含む、請求項１〜請求項３のいずれかに記載のゲームプログラム。
【請求項５】
前記ゲームは、複数の識別情報のうちユーザが所有する識別情報の組合せが特定の組合せとなることにより特典を付与するゲームであり、
前記特定の事象は、成立させた前記特定の組合せが第２条件を満たしている特定の事象を含む、請求項１〜請求項４のいずれかに記載のゲームプログラム。
【請求項６】
前記操作キャラクタに関連付けられているエピソードは、複数種類設けられており、
閲覧可能とするための特定の事象は前記複数種類のエピソード各々において異なる一方、複数種類のエピソードのいずれにおいても当該操作キャラクタが登場する場面が盛り込まれている、請求項１〜請求項５のいずれかに記載のゲームプログラム。
【請求項７】
プロセッサ、メモリ、および表示部を備えるコンピュータにより実行されるゲーム方法であって、
前記ゲーム方法は、前記コンピュータが、
前記複数のキャラクタのうちユーザにより操作される操作キャラクタにゲームを行わせるステップと、
前記ゲームを行わせるステップによりゲームを進行させる過程において、前記操作キャラクタに関連付けられている特定の事象を発生させることにより、当該操作キャラクタに関連付けられているエピソードであって当該発生させた特定の事象と関連性を有するエピソードを前記ユーザに閲覧可能に制御するステップとを備える、ゲーム方法。
【請求項８】
情報処理装置であって、
ゲームプログラムを記憶する記憶部と、
前記ゲームプログラムを実行することにより、前記情報処理装置の動作を制御する制御部とを備え、
前記制御部は、
前記複数のキャラクタのうちユーザにより操作される操作キャラクタにゲームを行わせるステップと、
前記ゲームを行わせるステップによりゲームを進行させる過程において、前記操作キャラクタに関連付けられている特定の事象を発生させることにより、当該操作キャラクタに関連付けられているエピソードであって当該発生させた特定の事象と関連性を有するエピソードを前記ユーザに閲覧可能に制御するステップとを実行する、情報処理装置。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
本体部と、
前記本体部に対して回転可能な回転部と、
前記回転部を回転不能にロックするロック部と、
前記ロック部の解除に伴い、前記回転部を一方向に回転させる駆動手段と、
を備え、
前記回転部は、演出出力部を有する副玩具体が着脱可能に取り付けられる一つ以上の取付部を有し、
前記回転部と前記副玩具体とは一体に回転可能である動作玩具。
【請求項２】
請求項１記載の動作玩具であって、
前記副玩具体は、前記回転部と一体に回転することにより演出出力可能である動作玩具。
【請求項３】
請求項１又は２記載の動作玩具であって、
前記駆動手段は、
前記本体部及び前記回転部のいずれか一方に設けられ、前記回転部の回転方向に傾いた傾斜面を有するカムと、
前記本体部及び前記回転部のいずれか他方に設けられ、前記傾斜面を摺動するフォロアと、
前記フォロアを前記傾斜面に向けて弾性的に付勢する付勢部材と、
を含む動作玩具。
【請求項４】
請求項１から３のいずれか一項記載の動作玩具であって、
前記駆動手段は、前記回転部の回転軸から外れている前記回転部の重心を含む動作玩具。
【請求項５】
請求項１から４のいずれか一項記載の動作玩具であって、
前記駆動手段によって回転された前記回転部を制止させるストッパを備える動作玩具。
【請求項６】
請求項１から５のいずれか一項記載の動作玩具であって、
前記本体部は、使用者が装着可能であり、前記本体部を装着した使用者を正面から見た場合に、前記回転部は、前記駆動手段によって反時計周りに回転される動作玩具。
【請求項７】
請求項１から６のいずれか一項記載の動作玩具であって、
前記副玩具体は、前記演出出力部を作動させるスイッチを備え、
前記取付部は、当該取付部に取り付けられた前記副玩具体の前記スイッチを操作可能な可動部を含む動作玩具。
【請求項８】
請求項７記載の動作玩具であって、
前記本体部は、前記回転部の回転に応じて前記可動部と係合し、係合する前記可動部を前記スイッチを操作する方向に移動させる一つ以上のガイドを有する動作玩具。
【請求項９】
請求項８記載の動作玩具であって、
前記取付部及び前記ガイドは、前記回転部の回転方向に間隔をあけて複数設けられており、
前記複数の取付部の前記可動部は、前記回転部の回転に応じ、互いに同期して前記副玩具体の前記スイッチを操作する動作玩具。
【請求項１０】
請求項９記載の動作玩具であって、
前記複数のガイドは、前記回転部が前記ロック部によってロックされている状態で前記複数の取付部の前記可動部と係合する位置に設けられており、
前記複数の取付部及び前記複数のガイドの数をｎとして、前記副玩具体は、前記スイッチがｎ＋１回操作された場合に前記演出出力部を作動させる動作玩具。
【請求項１１】
請求項９又は１０記載の動作玩具であって、
前記副玩具体は、前記スイッチとして、第１スイッチと、第２スイッチとを有し、
前記回転部は、前記複数の取付部として、第１取付部と、第２取付部とを有し、
前記第１取付部の前記可動部は、前記回転部の回転に応じ、当該第１取付部に取り付けられた前記副玩具体の前記第１スイッチを操作し、
前記第２取付部の前記可動部は、前記回転部の回転に応じ、当該第２取付部に取り付けられた前記副玩具体の前記第２スイッチを操作し、
前記第１取付部の前記可動部によって前記第１スイッチを操作された前記副玩具体が第１演出を出力され、前記第１演出に続いて、前記第２取付部の前記可動部によって前記第２スイッチを操作された前記副玩具体が第２演出を出力する動作玩具。
【請求項１２】
請求項１から１１のいずれか一項記載の動作玩具であって、
前記演出出力部は、光及び音の少なくとも一方による演出を出力する動作玩具。
【手続補正２】
【補正対象書類名】明細書
【補正対象項目名】０００６
【補正方法】変更
【補正の内容】
【０００６】
本発明に係る動作玩具は、本体部と、前記本体部に対して回転可能な回転部と、前記回転部を回転不能にするロック部と、前記ロック部の解除に伴い、前記回転部を一方向に回転させる駆動手段と、を備える。また、本発明に係る動作玩具は、本体部と、前記本体部に対して回転可能な回転部と、前記回転部を回転不能にロックするロック部と、前記ロック部の解除に伴い、前記回転部を一方向に回転させる駆動手段と、を備え、前記回転部は、演出出力部を有する副玩具体が着脱可能に取り付けられる一つ以上の取付部を有し、前記回転部と前記副玩具体とは一体に回転可能である。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
第１期間と第２期間とを有するゲームの処理を行うゲーム処理システムであって、
前記第１期間において、ユーザが保有する一または複数の第１抽選チケットに関する第１抽選チケット情報を記憶するストレージと、
一又は複数のコンピュータプロセッサと、
を備え、
前記一又は複数のコンピュータプロセッサは、コンピュータ読み取り可能な命令を実行することにより、
前記第１期間において、前記ユーザから前記一または複数の第１抽選チケットのうちの特定第１抽選チケットを使用した抽選を行うための抽選リクエストを受け付けた場合、前記特定第１抽選チケットを使用した第１逐次抽選処理を行って前記ユーザに対して第１報酬を付与し、
前記第１期間の終了までに前記ユーザから前記特定第１抽選チケットを使用した前記抽選リクエストを受け付けなかった場合、前記第１期間が終了したことに応じて、前記特定第１抽選チケットを使用した第１バッチ抽選処理を行って前記ユーザに前記第１報酬よりも少ない第２報酬を付与する、
ゲーム処理システム。
【請求項２】
前記特定第１抽選チケットを使用した前記第１逐次抽選処理が行われた場合には、前記第１抽選チケット情報のうち前記特定第１抽選チケットに関するレコードは、前記第１逐次抽選処理が行われたことに応じて前記ストレージから削除され、
前記特定第１抽選チケットを使用した前記第１バッチ抽選処理が行われた場合には、前記第１抽選チケット情報のうち前記特定第１抽選チケットに関するレコードは、前記第１バッチ抽選処理が行われたことに応じて前記ストレージから削除される、
請求項１に記載のゲーム処理システム。
【請求項３】
前記第１報酬は、前記ゲームで使用可能なポイント又は前記ゲームで使用されるキャラクタのパラメータの増加である、
請求項１又は請求項２に記載のゲーム処理システム。
【請求項４】
前記第１逐次抽選処理においては、一または複数の第１当選ゲームアイテムが特定され、前記一または複数の第１当選ゲームアイテムは、前記第１期間において前記ユーザに与えられる、
請求項１から請求項３のいずれか１項に記載のゲーム処理システム。
【請求項５】
前記第１バッチ抽選処理においては、一または複数の第２当選ゲームアイテムが特定され、前記一または複数の第２当選ゲームアイテムは、前記第１期間の終了後に前記ユーザに与えられる、
請求項１から請求項４のいずれか１項に記載のゲーム処理システム。
【請求項６】
前記一または複数の第２当選ゲームアイテムは、前記第２期間において、前記ユーザからの取得要求に応じて前記ユーザに与えられる、
請求項５に記載のゲーム処理システム。
【請求項７】
前記ストレージは、前記一または複数の第２当選ゲームアイテムに関するレコードをさらに記憶し、
前記一または複数の第２当選ゲームアイテムに関するレコードは、前記第２期間において前記ユーザから前記取得要求がなされない場合には、前記第２期間が終了したことに応じて前記ストレージから削除される、
請求項６に記載のゲーム処理システム。
【請求項８】
前記第１バッチ抽選処理は、前記一または複数の第１抽選チケットのうち、前記第１期間が終了した時点で前記第１逐次抽選処理に使用されていない一又は複数の未使用第１抽選チケットの全てについて行われる、
請求項１から請求項７のいずれか１項に記載のゲーム処理システム。
【請求項９】
一又は複数のコンピュータプロセッサがコンピュータ読み取り可能な命令を実行することにより第１期間と第２期間とを有するゲームの処理を行うゲーム処理方法であって、
前記第１期間において、ユーザが保有する一または複数の第１抽選チケットに関する第１抽選チケット情報をストレージに記憶する工程と、
前記ユーザから、前記一または複数の第１抽選チケットのうちの特定第１抽選チケットを使用した抽選を行うための抽選リクエストを受け付けた場合、前記特定第１抽選チケットを使用した第１逐次抽選処理を行って前記ユーザに対して第１報酬を付与する工程と、
前記第１期間の終了までに前記ユーザから前記特定第１抽選チケットを使用した前記抽選リクエストを受け付けなかった場合、前記特定第１抽選チケットを使用した第１バッチ抽選処理を行って前記ユーザに前記第１報酬よりも少ない第２報酬を付与する工程と、
を備えるゲーム処理方法。
【請求項１０】
一又は複数のコンピュータプロセッサに実行されるプログラムであって、
前記一又は複数のコンピュータプロセッサに、
前記第１期間において、ユーザが保有する一または複数の第１抽選チケットに関する第１抽選チケット情報をストレージに記憶する工程と、
前記ユーザから前記一または複数の第１抽選チケットのうちの特定第１抽選チケットを使用した抽選を行うための抽選リクエストを受け付けた場合、前記特定第１抽選チケットを使用した第１逐次抽選処理を行って前記ユーザに対して第１報酬を付与する工程と、
前記第１期間の終了までに前記ユーザから前記特定第１抽選チケットを使用した前記抽選リクエストを受け付けなかった場合、特定第１抽選チケットを使用した第１バッチ抽選処理を行って前記ユーザに前記第１報酬よりも少ない第２報酬を付与する工程と、
を実行させるプログラム。